(57)【要約】      （修正有）【課題】傘干しに適する傘干し器を提供する。【解決手段】傘干し器Ｈは固定挟み体１とバネ５による力、ネジによる力などの力により可動となる可動挟み体４より成る。固定挟み体１と可動挟み体４の内で少なくともいずれか一方に挟み溝２を形成する。傘干し器Ｈは傘立てに組み込む。【選択図】図１
2019126698.tif 000002
【特許請求の範囲】
【請求項１】
固定挟み体とバネによる力、ネジによる力などの力により可動となる可動挟み体とにより傘軸を支持し、前記固定挟み体及び可動挟み体の内で少なくともいずれか一方に傘軸を挟む挟み溝を形成した事を特徴とする傘干し器。
【請求項２】
傘干し器が傘立てに備えられた構造の特許請求の範囲１記載の傘干し器。
【請求項３】
固定挟み体が垂直から所定角度傾斜して斜めに傘軸を支持する挟み溝を有する構造の固定挟み体である請求項１又は２記載の傘干し器。
【請求項４】
傘の骨を移動させる傘軸に嵌まったスリーブを傘全開維持状態から外して傘を半開状態に維持する様にして干す請求項２記載の傘の干し方。
【発明の詳細な説明】
【技術分野】
【０００１】本発明は濡れた傘を日光などに当てて乾かす傘干し器及び傘の干し方に関するものである。
【背景技術】
【０００２】一般に濡れた傘を干す場合、傘干しに適する構造の商品が存在せず、例えば玄関に傘を置いて干すと（傘は開く）風に飛ばされることがあり、ベランダの柵にロープで縛り付けて干せばこの心配はないが、ロープを縛り付ける作業が面倒である。
傘を開いて竿に掛けて干す人もいるが、風に飛ばされる心配はあるし、風に吹かれて動き回り危険である。いずれも傘干しに適する構造の傘干し器がない為である。
【発明の開示】
【発明が解決しようとする課題】
【０００３】本発明の目的は濡れた傘を干すに当り、風に飛ばされる事がない、かつ風に飛ばされる事を防ぐ為に傘をロープで柵などに縛り付けるなどの面倒な作業が不要な傘干し器を提供する事であり、簡単に傘をセットでき、見栄えが良くなる傘干し器を提供することである。
【課題を解决する為の手段】
【０００４】本発明は上記目的を達成する為、固定挟み体とバネによる力、ネジによる力の様な力により可動となる可動挟み体とから成り、固定挟み体と可動挟み体とにより傘軸を挟んで支持する様に構成した。
【発明の効果】
【０００５】本文で詳述した様に本発明によれば傘軸を傘干し器に嵌め込むだけで簡単にセットでき、従来の様にベランダの柵などにロープで縛り付けて固定するなどの面倒な作業は不要であり、風で傘が飛ばされる事もない。本発明では傘干し器は傘立てと組み合わせて備える事が望ましく、これにより傘を干した時の見栄えも良くなる。
又、これにより傘の室内干し（玄関・土間で干すなど）も可能になり、雨降りに帰宅したら濡れた傘を傘干し器に立てて天気の良い日を待たずに傘干しでき、傘も長持ちする。更には傘を一杯に開いて玄関・土間が挟くなったら、半開きにして干す事もできる。この様に傘立てに傘干し器を備えた効果は大である。
【発明を実施する為の形態】
【０００６】図１（イ）は本発明による傘干し器を示し、固定挟み体１とバネ５（図はＣ形のバネであり、圧縮バネ、ねじりコイルバネなどによる構造も考えられる）により閉鎖トルクを与えられた可動挟み体４とにより図示しない傘軸を挟んで固定するものである（基本的には洗濯バサミと同じ構造である）。傘軸は固定挟み体１の挟み溝２に嵌り込んで挟まれるから、この部分にゴムなどの高摩擦材料を内張りするのが良い。
３は支点、６はこの傘干し器Ｈを例えば傘立ての構成部材（図２参照）に固定する為の固定片であり、穴７にボルトを通して固定する。使い方は固定挟み体１、可動挟み体４を掴んで（間隙Ｓに指を入れる）開き、傘軸（図示せず）を挟み溝２に嵌め込んで挟み、固定する（そして、掴んだ手を離す）。挟み溝２は垂直方向に普通は形成するが、傘を斜めに固定する必要がある場合もあるので、図１（ロ）の様に斜めに延びる挟み溝２′を形成しても良いし、図１（ハ）の様にその逆方向に斜めに延びる挟み溝２″を形成してもよい（図１（ロ），（ハ）はＡ方向から見た固定挟み体１を示す図である）。次に本発明における傘干し器は例えばベランダの柵にロープなどで固定片６を強く縛り付けるなどして使用しても良いが（一度縛り付けておけば良く、傘を干す毎に縛り付ける必要はない）。望ましくは傘を立てて収納する傘立てと組み合わせた構造とするのが良い。図２（イ）は傘干し器Ｈを重り８に備えられた支柱に固定したものである（図１（イ）の穴７にボルトを通して固定）。この場合、傘干し器Ｈと支柱とを予め一体構造としたもの（１本、又は複数本でも良いが）を重り８に固定しても良い。
図２（ロ）は傘干し器Ｈを傘立て９に固定したものであり、構成部材１０に予め穴を開けておき、この穴に図１（イ）の穴７を合わせてボルト締めする。図２（ハ）は重り１１の穴に傘の先を挿入して収納するタイプの傘立て１１に傘干し器Ｈを備えたものである。
図２（ニ）は大きな傘立てに傘干し器Ｈを２個備えたものであり、図２（ホ）は傘を斜めに（垂直より所定角度傾斜した状態）固定するものであって、図２（ニ）で無理な大きな傘も可能となる。後者は例えば図１（ロ），（ハ）の傘干し器を使うか、又は構成部材１０に傘干し器を斜めに傾斜させる穴を形成しておき、この穴に図１（イ）の穴７を合わせてボルト締めすることになる。図２（ヘ），（ト）は図１（イ）において傘の骨を移動する傘軸に嵌まったスリーブ（図示せず）を傘全開維持状態から外して傘を半開きにする干し方であり、スペースが狭い場合に重宝する干し方である（この干し方は図２の全てに適用する事ができる）。図２は傘を干す時は傘立てを屋外に出して日光に当てるが、室内干し（玄関・土間で）も可能である。雨降りに帰宅したら直ちに傘立てに傘を立てて、天気の良くなる日を待たずに傘干しでき、傘が長持ちする。傘を一杯に開いて玄関・土間が狭くなった場合は、図２（ヘ），（ト）の様に半開きにして干す事ができる。しかも、傘干し器Ｈにより固定する傘軸の位置により傘の半開きの程度を調整できるのである。尚、図１において、挟み溝２は可動挟み体４に形成しても良い。即ち、本発明では固定挟み体１及び可動挟み体４の内で少なくともいずれか一方に傘軸を挟む挟み溝２を形成するのである。
【０００７】図３（イ）は本発明によるもう１つの傘干し器を示し、固定挟み体１２とネジ１６の力により可動的に備えられた可動挟み体１５（ネジ１６の先端部に嵌め込まれたキャップ）とにより傘軸を挟んで固定するものである。使い方は傘を開いて傘軸（図示せず）を挿入口より入れ、挟み溝１２′に嵌め込んでハンドル１７を回してネジ１６を締め付け、傘軸を固定すれば良い。ハンドル１７を早く回すにはつまみ１８を持って行なう。
固定片１３の穴１４は図１（イ）の穴７に相当し、傘干し器を固定する為に用いる。この傘干し器も図２（ホ）の如く斜めに固定する事ができる（説明は既にしてあるので、省略する）。図３（ロ）は可動挟み体１９が動きを拡大するレバー式になっており、ネジ１６の進みを早める効果でハンドル１７の少ない回転で傘軸を固定するものである。
図３（ハ）は傘軸を斜めに固定する為のもう１つの手段で。固定挟み体に傘軸を垂直に固定する挟み溝１２′の他に斜めに固定する挟み溝１２″を形成してある。
【０００８】図４（イ）は固定挟み体及び可動挟み体を備えない傘干し器で、傘軸を支持する傘軸支持部２０（溝形状）と傘の柄の下端部を支持する柄支持部２６とから成る（後者は前者の下方に位置する）。２５は柄挿入部である。傘の傘軸及び柄（Ｕ字形又は棒状のものがある）は傘軸支持部２０、柄挿入部２５の側方より挿入する。傘干し器に傘軸を有する柄を挿入した図をＢ方向から見た断面図として図４（ロ）に示す。柄挿入部２５の幅は傘軸支持部２０の幅よりかなり大で、この為、ひっかかり部２７（段差）が形成され、これにひっかかって傘は抜ける事がない、使い方は矢印の如く傘軸、柄を完全に挿入し（傘は開く）、塞ぎ板２９の持ち手２８を持って溝２２に上から嵌め込む。こうすると傘軸は傘軸支持部２０の中に閉じ込められ、傘全体がしっかりと支えられる（傘軸の太さは各種の差が小さいので、ガタは少なく問題にならない）。
塞ぎ板２９の下方部２１は薄くして溝２２に嵌め込み易くするのが良く、上方側は少し厚くして抜けに対する抵抗力を与え、抜けにくくする。塞ぎ板２９は紛失防止の為、紐で傘干し器本体に又はこれを固定した傘立ての構成部材の近くに結び付けておく。
図４（ハ）の塞ぎ板３０は図１（イ）ではスライド式であるが、回動式のものである。塞ぎ板３０を傘軸支持部２０の中に押し込んだ後、カム３１を回転させるとカム面が少し突出して、これに当って塞ぎ板３０は閉じたままになる。
【図面の簡単な説明】
【０００９】
【図１】本発明による傘干し器の図。
【図２】傘干し器の使用状態を示す図。
【図３】本発明による傘干し器の図。
【図４】傘干し器を示す図。
【符号の説明】１・１２は固定挟み体、２・２′・２″・・１２′・１２″は挟み溝、３は支点、４・１５・１９は可動挟み体、５はバネ、６・１３・２３は固定片、７・１４・２４は穴、８は重り、９は傘立て、１０は構成部材、１１は傘立て、Ｈは傘干し器、１６はネジ、１７はハンドル、１８はつまみ、２０は傘軸支持部、２１は下方部、２２は溝、２５は柄挿入部、２６は柄支持部、２７はひっかかり部、２８は持ち手、２９は塞ぎ板、３０は塞ぎ板、３１はカムである。
【図１】
2019126698.tif 000003
【図２】
2019126698.tif 000004
【図３】
2019126698.tif 000005
【図４】
2019126698.tif 000006